(57)【要約】      （修正有）【課題】一つの電池収納部に多機種電池の収納を可能にすることで、機種別に必要な電池収納トレイに対する製造コストを減らすことができ、また、機種別電池収納トレイの保管のために要求される保管空間を減らすことができる電池収納トレイを提供する。【解決手段】具現化例の電池収納トレイは、互いに向かい合う第１側部１１０及び第２側部１２０と、角状電池セルを受容するための平坦部１ｂと円筒状電池セルを受容するためのラウンド部１ａを有して互いに向かい合う第３側部１３０及び第４側部１４０と、前記第３側部の下部から延長され、前記角状電池セルの第１先端を固定する第１ガイド部１６０と、前記第４側部の下部から延長され、前記角状電池セルの第２先端を固定する第２ガイド部１７０と、を含む電池収納部１００を具備する。【選択図】図３
2011258554.tif 000002
【特許請求の範囲】
【請求項１】
互いに向かい合う第１側部及び第２側部と、角状電池セルを受容するための平坦部と円筒状電池セルを受容するためのラウンド部を有して互いに向かい合う第３側部と第４側部と、
前記第３側部の下部から延長され、前記角状電池セルの第１先端を固定する第１ガイド部と、
前記第４側部の下部から延長され、前記角状電池セルの第２先端を固定する第２ガイド部と、を含む電池収納セルを具備することを特徴とする電池収納用電池トレイ。
【請求項２】
前記第１側部は、前記第３側部及び前記第４側部の一端に連結され、前記第２側部は、前記第３側部及び前記第４側部の一端と反対である他端に連結されることを特徴とする請求項１に記載の電池収納用電池トレイ。
【請求項３】
前記第３側部及び第４側部は、前記電池セルをホールディングする装置を受容するために、前記ラウンド部から延長される縁を有することを特徴とする請求項１または２に記載の電池収納用電池トレイ。
【請求項４】
前記第１ガイド部は、前記第１側部の下部と第１底面から更に延長され、
前記第２ガイド部は、前記第２側部の下部と第１底面から更に延長されることを特徴とする請求項１〜３のいずれか一項に記載の電池収納用電池トレイ。
【請求項５】
前記第１ガイド部は、前記第４側部の表面と共に前記角状電池セルの第１先端を固定するように構成され、
前記第２ガイド部は、前記第３側部の表面と共に前記角状の電池セルの第２先端を固定するように構成されることを特徴とする請求項１〜４のいずれか一項に記載の電池収納用電池トレイ。
【請求項６】
前記角状電池セルの第１先端と接触するように構成されるよう、前記第４側部の表面に形成される突出部と、
前記角状電池セルの第２先端と接触するように構成されるよう、前記第３側部の表面に形成される突出部と、を具備することを特徴とする請求項１〜５のいずれか一項に記載の電池収納用電池トレイ。
【請求項７】
前記第１ガイド部は、前記第３側部から前記電池収納部に収納される前記角状電池セルの方向に下がるように延長される第１面を含み、
前記第２ガイド部は、前記第４側部から前記電池収納部に収納される前記角状電池セルの方向に下がるように延長される第１面を含むことを特徴とする請求項１〜６のいずれか一項に記載の電池収納用電池トレイ。
【請求項８】
前記第１ガイド部は、前記第１ガイド部の第１面の先端から下に延長される第２面を含み、
前記第２ガイド部は、前記第２ガイド部の第１面の先端から下に延長される第２面を含むことを特徴とする請求項７に記載の電池収納用電池トレイ。
【請求項９】
前記第１ガイド部と前記第２ガイド部の第２面が、前記第１ガイド部と前記第２ガイド部の第１面の傾斜より更に急な傾斜を有することを特徴とする請求項８に記載の電池収納用電池トレイ。
【請求項１０】
前記角状電池セルを受容するために、前記第１、２、３及び４側部と連結される第１底面を更に含むことを特徴とする請求項１〜９のいずれか一項に記載の電池収納用電池トレイ。
【請求項１１】
前記円筒状電池セルを受容するために、前記第３及び第４側部のラウンド部と連結される第２底面を更に含むことを特徴とする請求項１０に記載の電池収納用電池トレイ。
【請求項１２】
前記電池収納部は、前記第１及び第２側部の長さ以下の厚さを有する角状電池セルを受容する大きさに形成されることを特徴とする請求項１〜１１のいずれか一項に記載の電池収納用電池トレイ。
【請求項１３】
前記電池収納部は、前記角状電池セルの下部が前記第１ガイド部の表面と前記第２ガイド部の表面と接触するよう、前記角状電池セルを受容する大きさに形成されることを特徴とする請求項１２に記載の電池収納用電池トレイ。
【請求項１４】
前記電池収納部は、前記角状電池セルの下部が前記第１ガイド部の下面と前記第２ガイド部の下面と接触するよう、前記角状電池セルを受容する大きさに形成されることを特徴とする請求項１２に記載の電池収納用電池トレイ。
【請求項１５】
前記電池収納部は、前記角状電池セルの下部が前記第１ガイド部の上面と前記第２ガイド部の上面に置かれるよう、前記角状電池セルを受容する大きさに形成されることを特徴とする請求項１２に記載の電池収納用電池トレイ。
【請求項１６】
前記電池収納部は、
互いに向かい合う第５側部及び第６側部と、互いに向かい合いながら一端が前記第３側部から延長されて前記第５側部と連結され、他端が前記第４側部から延長されて前記第６側部と連結される前記第７側部及び第８側部と、
前記第７側部の下部から延長され、前記角状電池セルの第１先端を固定する第３ガイド部と、
前記第８側部の下部から延長され、前記角状電池セルの第２先端を固定する第４ガイド部を更に含むことを特徴とする請求項１に記載の電池収納用電池トレイ。
【請求項１７】
前記第７側部及び前記第８側部は、前記角状電池セルを受容するための平坦部を有し、前記円筒状電池セルを収納するために前記第３及び第４側部のラウンド部を共有することを特徴とする請求項１６に記載の電池収納用電池トレイ。
【請求項１８】
前記第１、２、３及び４側部は、第１長さを有する前記角状電池セルを受容する大きさに形成され、
前記第５、６，７及び８側部は、第２長さを有する前記角状電池セルを受容する大きさに形成されることを特徴とする請求項１６または１７に記載の電池収納用電池トレイ。
【請求項１９】
前記電池収納部は、前記電池セルの端子を露出させるよう、前記電池トレイの下面に形成される貫通ホールを更に含むことを特徴とする請求項１〜１８のいずれか一項に記載の電池収納用電池トレイ。
【請求項２０】
複数の電池収納部を更に含むことを特徴とする請求項１〜１９のいずれか一項に記載の電池収納用電池トレイ。
【請求項２１】
前記第３側部の表面に形成される前記突出部と、前記第４側部の表面に形成される前記突出部が、前記角状電池セルの平坦部と線接触又は点接触を成すことを特徴とする請求項６〜２０のいずれか一項に記載の電池収納用電池トレイ。
【請求項２２】
前記第３側部の表面に形成される前記突出部と、前記第４側部の表面に形成される前記突出部が、前記角状電池セルの向かい合う先端に配置されたラウンド部と隣接した平坦部と線接触又は点接触を成すことを特徴とする請求項２１に記載の電池収納用電池トレイ。
【発明の詳細な説明】
【技術分野】
【０００１】
本発明は、多数個の二次電池を収納する電池収納トレイに関するものである。
【背景技術】
【０００２】
二次電池は、再充電が可能で小型及び大容量化が可能な電池であり、主にノートパソコン、カムコーダ携帯電話などの携帯機器の電源として使用されている。
【０００３】
二次電池は、電池としての機能を有するよう、製造工程のうち化成充電工程を経る。化成充電工程は、二次電池が製造された直後、初期に二次電池を充電する工程であり、このとき二次電池は、供給される電気エネルギによって電気化学的エネルギに変換される。
【０００４】
このような化成充電工程は多数個の二次電池を対象に行われ、このため多数個の二次電池を収納するトレイが必要となる。
【発明の概要】
【発明が解決しようとする課題】
【０００５】
本発明は、一つの電池収納部に多機種電池の収納を可能にすることで、機種別に必要な電池収納トレイに対する製造コストを減らすことができ、また、機種別電池収納トレイの保管のために要求される保管空間を減らすことができる電池収納トレイを提供することにその目的がある。
【課題を解決するための手段】
【０００６】
本発明の実施の形態による電池収納用電池トレイは、互いに向かい合う第１側部及び第２側部と、角状電池セルを受容するための平坦部と、円筒状電池セルを収納するためのラウンド部と、を有して互いに向かい合う第３側部と第４側部と、前記第３側部の下部から延長され、前記角状電池セルの第１先端を固定する第１ガイド部と、前記第４側部の下部から延長され、前記角状電池セルの第２先端を固定する第２ガイド部と、を含む電池収納部と、を具備することを特徴とする。
【０００７】
前記第１側部は、前記第３側部及び第４側部の一端に連結され、前記第２側部は、前記第３側部及び前記第４側部の一端と反対である他端に連結されてもよい。
【０００８】
前記第３側部及び前記第４側部は、前記電池セルをホールディングする装置を受容するために、前記ラウンド部から延長される縁を有してもよい。
【０００９】
前記第１ガイド部は、前記第１側部の下部と第１底面から更に延長され、前記第２ガイド部は、前記第２側部の下部と第１底面から更に延長されてもよい。
【００１０】
前記第１ガイド部は、前記第４側部の表面と共に前記角状電池セルの第１先端を固定するように構成され、前記第２ガイド部は、前記第３側部の表面と共に前記角状電池セルの第２先端を固定するように構成されてもよい。
【００１１】
また、前記電池収納用電池トレイは、前記角状電池セルの第１先端と接触するように構成されるよう、前記第４側部の表面に形成される突出部と、前記角状電池セルの第２先端と接触するように構成されるよう、前記第３側部の表面に形成される突出部と、を具備してもよい。
【００１２】
第１ガイド部は、前記第３側部から前記電池収納部に収納される前記角状電池セルの方向に下がるように延長される第１面を含み、前記第２外部は、前記第４側部から前記電池収納部に収納される前記角状電池セルの方向に下がるように延長される第１面を含んでもよい。
【００１３】
前記第１ガイド部は、前記第１ガイド部の第１面の先端から下に延長される第２面を含み、前記第２ガイド部は、前記第２ガイド部の第１面の先端から下に延長される第２面を含んでもよい。
【００１４】
前記第１ガイド部と前記第２ガイド部の第２面が、前記第１ガイド部と前記第２ガイド部の第１面の傾斜より更に急な傾斜を有してもよい。
【００１５】
また、前記電池収納用電池トレイは、前記角状電池セルを受容するために、前記第１、２、３及び４側部と連結される第１底面を更に含んでもよい。
【００１６】
また、前記電池収納用電池トレイは、前記円筒状電池セルを受容するために、前記第３及び第４側部のラウンド部と連結される第２底面を更に含んでもよい。
【００１７】
前記電池収納部は、前記第１及び第２側部の長さ以下の厚さを有する角状電池セルを受容する大きさに形成されてもよい。
【００１８】
前記電池収納部は、前記角状電池セルの下部が前記第１ガイド部の表面と前記第２ガイド部の表面と接触するよう、前記角状電池セルを受容する大きさに形成されてもよい。
【００１９】
前記電池収納部は、前記角状電池セルの下部が前記第１ガイド部の下面と前記第２ガイド部の下面と接触するよう、前記角状電池セルを受容する大きさに形成されてもよい。
【００２０】
前記電池収納部は、前記角状電池セルの下部が前記第１ガイド部の上面と前記第２ガイド部の上面に置かれるよう、前記角状電池セルを受容する大きさに形成されてもよい。
【００２１】
前記電池収納部は、互いに向かい合う第５側部及び第６側部と、互いに向かい合って一端が前記第３側部から延長されて前記第５側部と連結され、他端が前記第４側部から延長されて前記第６側部と連結される前記第７側部及び第８側部と、前記第７側部の下部から延長され、前記角状電池セルの第１先端を固定する第３ガイド部と、前記第８側部の下部から延長され、前記角状電池セルの第２先端を固定する第４ガイド部と、を更に含んでもよい。
【００２２】
前記第７側部及び前記第８側部は、前記角状電池セルを受容するための平坦部を有し、前記円筒状電池セルを収納するために前記第３及び第４側部のラウンド部を共有してもよい。
【００２３】
前記第１、２、３及び４側部は、第１長さを有する前記角状電池セルを受容する大きさに形成され、前記第５、６、７及び８側部は、第２長さを有する前記角状電池セルを受容する大きさに形成されてもよい。
【００２４】
前記電池収納部は、前記電池セルの端子を露出させるよう、前記電池トレイの下面に形成される貫通ホールを更に含んでもよい。
【００２５】
また、前記電池収納用電池トレイは、複数の電池収納部を更に含んでもよい。
【００２６】
前記第３側部の表面に形成される前記突出部と、前記第４側部の表面に形成される前記突出部が、前記角状電池セルの平坦部と線接触及び点接触を成してもよい。
【００２７】
前記第３側部の表面に形成される前記突出部と、前記第４側部の表面に形成される前記突出部が、前記角状電池セルの向かい合う先端に配置されたラウンド部に隣接した平坦部と線接触及び点接触を成してもよい。
【発明の効果】
【００２８】
本発明の実施の形態による電池収納トレイは、一つの電池収納部に多機種電池の収納を可能にすることで機種別に必要な電池収納トレイに対する製造コストを減らすことができ、また、機種別電池収納トレイの保管のために要求される保管空間を減らすことができる。
【図面の簡単な説明】
【００２９】
【図１】本発明の一実施例による電池収納トレイを示す斜視図である。
【図２】図１の電池収納トレイを示す平面図である。
【図３】図２の一つの電池収納部に第１角状電池が収納された状態を示す拡大平面図である。
【図４】図３のＡ−Ａ’線に沿って切り取った電池収納部の断面図である。
【図５】図３のＢ−Ｂ’線に沿って切り取った電池収納部の断面図である。
【図６】図３のＣ−Ｃ’線に沿って切り取った電池収納部の断面図である。
【図７】図３の電池収納部のうち、第１ガイド部部分を示す斜視図である。
【図８】図２の一つの収納部に第２角状電池が収納された状態を示す拡大平面図である。
【図９】図３の第１角状及び図８の第２角状電池それぞれと第１ガイド部の関係を説明するための断面図である。
【図１０】図２の一つの電池収納部に円筒状電池が収納された状態で、図３のＤ−Ｄ’線に沿って切り取った電池収納部の断面図である。
【図１１】本発明の他の実施の形態による電池収納トレイのうち、図６の部分と対応する部分を示し断面図である。
【図１２】図１１の電池収納部のうち、第１ガイド部部分を示す斜視図である。
【図１３】本発明の更に他の実施の形態による電池収納トレイのうち、図３の部分と対応する部分を示す平面図である。
【発明を実施するための形態】
【００３０】
以下、図面を参照しながら実施の形態を介して本発明をより詳しく説明する。図１は、本発明の一実施例による電池収納トレイを示す斜視図であり、図２は、図１の電池収納トレイを示す平面図である。
【００３１】
図１を参照すると、本発明の一実施例による電池収納トレイ（又は電池収納用電池トレイ）１０は、大略六面体形状の射出成形物で形成されてもよく、第１面１０ａと、第１面１０ａの反対面である第２面１０ｂと、第１面１０ａと第２面１０ｂを連結する４つの第３面１０ｃと、を含んでもよい。
【００３２】
図２を参照すると、前記電池収納トレイ１０は、第１面１０ａを介して電池が収納される電池収納部１００と、第２面１０ｂのうち電池収納部１００に対応する所定領域に形成される貫通ホール２００と、を含む。このような電池収納トレイ１０は、多数個の電池を収納して多数個の電池に化成充電工程などが適用されるようにする。このため、前記電池収納部１００は、電池収納トレイ１０内に多数形成される。ここで、前記化成充電工程は、出荷の前に電池を充電させる工程であり、電池収納部１００の上部を介して露出される電池の電極端子と貫通ホール２００を介して露出される電池の更に他の電極端子それぞれにプローブピンを接触させた後、充電電流を流すことで行われる。以下では、前記電池収納トレイ１０を構成する多数の電池収納部１００のうち一つの電池収納部１００を中心に説明する。
【００３３】
図３は、図２の一つの電池収納部に第１角状電池が収納された状態を示す拡大平面図であり、図４は、図３のＡ−Ａ’線に沿って切り取った電池収納部の断面図であり、図５は、図３のＢ−Ｂ’線に沿って切り取った電池収納部の断面図であり、図６は、図３のＣ−Ｃ’に沿って切り取った電池収納部の断面図であり、図７は、図３の電池収納部のうち第１ガイド部部分を示す斜視図である。
【００３４】
図３を参照すると、前記電池収納部１００は、電池が実質的に収納される空間Ｓ１０を提供し、具体的には、角状電池（又は角状電池セール）が収納される大略四角形の第１空間Ｓ１と、円筒状電池（又は円筒状電池セル）が収納される大略円形の第２空間Ｓ２と、角状電池又は円筒状電池をホールディングするホールディング装置が引き入れられるための第３空間Ｓ３と、を含んでもよい。ここで、前記角状電池は、正四角形、直四角形、楕円形などのようなプレイン（plane）形状を有する電池と定義される。前記電池収納部１００は、角状電池又は円筒状電池の容易な収納のため、空間Ｓ１０の上部に形成されたテイパー面１００ａを含んでもよい。前記電池収納部１００は、空間Ｓ１０の形成のために第１側面１１０と、第２側面１２０と、第３側面１３０と、第４側面１４０と、底面１５０と、を含む。また、電池収納部１００は、空間Ｓ１０に収納される多機種の角状電池（例えば、厚さが相異なる角状電池）をガイドして配置するよう、第１ガイド部１６０と、第２ガイド部１７０と、を含む。
【００３５】
前記第１側面（又は第１側部）１１０及び第２側面（又は第２側部）１２０は、第１空間Ｓ１に収納される角状電池、例えば、第１厚さＴ１を有する第１角状電池１を間に挟んで互いに対向するように、平らに、かつ互いに平行に形成される。このような第１側面１１０及び第２側面１２０は、第１角状電池１の幅方向ＷＤ移動を規制する。ここで、前記第１厚さＴ１は、例えば、４ｍｍであってもよい。一方、前記第１角状電池１は、電極端子２が図４に示すように突出された上面と、ラウンド部１ａと平坦部１ｂで形成された側面（又は第１及び第２先端）と、上面の反対面である下面と、を含んでもよい。ここで、前記第１側面１１０及び第２側面１２０は、大略第１角状電池１の側面のうちそれぞれラウンド部１ａと対向する。
【００３６】
前記第３側面（又は第３側部）１３０及び第４側面（又は第４側部）１４０は、第１側面１１０及び第２側面１２０を連結し、第１角状電池１を間において対向する。具体的には、前記第３側面１３０及び第４側面１４０は、大略第１角状電池１の側面のうち平坦部１ｂと対向する。このような第３側面１３０及び第４側面１４０は、第１角状電池１の回転方向ＲＤ１、ＲＤ２移動を規制する。
【００３７】
前記第３側面１３０は、具体的には、第１平坦部１３０ａ、１３０ｂと、第１ラウンド部１３０ｃ、１３０ｄと、第１突出部１３０ｅと、第１ホールディング部（又は第１縁）１３０ｆと、を含んでもよい。前記第１平坦部１３０ａ、１３０ｂは、第１側面１１０の一端および第２側面１２０の一端それぞれに連結され、第１側面１１０及び第２側面と大略直角を成し、平らである。前記第１ラウンド部１３０ｃ、１３０ｄは、第１平坦部１３０ａ、１３０ｂから延長され、中心軸ＣＡから外側方向に突出されたラウンド形状を有する。前記第１突出部１３０ｅは、第１平坦部１３０ｂの一部が第１角状電池１方向に突出されて形成される。前記第１ホールディング部１３０ｆは、第１ラウンド部１３０ｃと第１ラウンド部１３０ｄとの間に形成され、第１ラウンド部１３０ｃ、１３０ｄより中心軸Ｃａから外側方向に更に突出されたラウンド形状を有する。ここで、前記電池収納部１００の上部のうち、第１ホールディング部１３０ｆに対応する部分はテイパー面１００ａが形成されなくてもよい。
【００３８】
前記第４側面１４０は、具体的には、第２平坦部１４０ａ、１４０ｂと、第２ラウンド部１４０ｃ、１４０ｄと、第２突出部１４０ｅと、第２ホールディング部（又は第２縁）１４０ｆと、を含んでもよい。前記第２平坦部１４０ａ、１４０ｂは、第１側面１１０の他端と第２側面１２０の他端それぞれに連結され、第１側面１１０と第２側面１２０それぞれと大略直角をなし、平らである。前記第２ラウンド部１４０ｃ、１４０ｄは、第２平坦部１４０ａ、１４０ｂから延長され、中心軸ＣＡを中心に第１ラウンド部１３０ｃ、１３０ｄと対称する位置で対称する形状を有する。前記第２突出部１４０ｅは、第２平坦部１４０ａの一部が第１角状電池１方向に突出されて形成され、第１突出部１３０ｅと対角方向に対向される。前記第２ホールディング部１４０ｆは、第２ラウンド部１４０ｃと第２ラウンド部１４０ｄの間に連結され、中心軸ＣＡを中心に第１ホールディング部１３０ｆと対称する位置で対称する形状を有する。ここで、前記電池収納部１００の上部のうち、第２ホールディング部１４０ｆに対応される部分はテイパー面１００ａが形成されなくてもよい。
【００３９】
前記底面１５０は、第１側面１１０と、第２側面１２０と、第３側面１３０と、第４側面１４０と、を連結する。前記底面１５０は、図４に示すように、具体的には、第１底面１５０ａと、第２底面１５０ｂと、を含む。前記第１底面１５０ａは、第１空間Ｓ１に収納される第１角状電池１の下面と対向される。前記第２底面１５０ｂは、第２空間Ｓ２に収納される円筒状電池（図１０の５）の下面と接触し、第３空間Ｓ３と対応する領域まで延長されてもよい。ここで、前記第２底面１５０ｂは、第１底面１５０ａより高い位置にあってもよい。
【００４０】
上述したように、第１側面１１０、第２側面１２０、第１平坦部１３０ａ、１３０ｂ、第２平坦部１４０ａ、１４０ｂ及び第１底面１５０ａは、第１角状電池１が収納される第１空間Ｓ１を形成する。ここで、第１厚さＴ１を有する第１角状電池１は、回転方向ＲＤ２方向に回転しながら第１空間Ｓ１に収納される。この際、前記第１突出部１３０ｅ及び第２突出部１４０ｅは、図５及び図６に示したように、第１角状電池１の側面と接触する。具体的には、第１突出部１３０ｅ及び第２突出部１４０ｅは、第１角状電池１の側面の一部である平坦部１ｂのうち、ラウンド部１ａが始まる前の領域と線接触（line contact）又は点接触（point contact）する。このような第１突出部１３０ｅ及び第２突出部１４０ｅは、第１角状電池１を支持及び固定する役割を果たす。
【００４１】
前記第１ガイド部１６０は、図７に示したように、第１平坦部１３０ａの下部と第１側面１１０の下部に接触するよう、第１底面１５０ａの上に突出された形で形成される。具体的に、前記第１ガイド部１６０は、第１ガイド斜面（又は第１面）１６０ａと、第１ガイド側面１６０ｂと、を含む。
【００４２】
前記第１ガイド斜面１６０ａは、第１底面１５０ａから離隔された第１平坦部１３０ａの下部から中心軸ＣＡ方向と第１底面１５０ａ方向に傾いた面である。ここで、前記第１ガイド斜面１６０ａは、第１平坦部１３０ａと第１底面１５０ａに接触する。そして、前記第１ガイド斜面１６０ａは、第１角状電池１の幅方向ＷＤで第１角状電池１から遠くなるほど広くなる。
【００４３】
前記第１ガイド側面１６０ｂは、第１ガイド斜面１６０ａと、第１平坦部１３０ａと、第１底面１５０ａに連結される。
【００４４】
前記第１ガイド部１６０は、第１角状電池１が第１空間Ｓ１に回転しながら挿入されるとき、第１ガイド斜面１６０ａを介して回転方向ＲＤ２に第１角状電池１の回転をガイドする。また、前記第１ガイド部１６０は、回転された第１角状電池１が動かないよう、第１ガイド斜面１６０ａを介して第１角状電池１を固定する。
【００４５】
前記第２ガイド部１７０は、第４側面１４０の第２平坦部１４０ｂの下部と第２側面１２０の下部に接触するよう、第１底面１５０ａの上に突出された形で形成される。前記第２ガイド部１７０は、中心軸ＣＡを中心に対角方向に第１ガイド部１６０と対称する形状を有するため、具体的な説明は省略する。前記第２ガイド部１７０は、第１角状電池１が第１空間Ｓ１に回転しながら挿入されるとき、第１ガイド部１６０と共に回転方向ＲＤ２方向に第１角状電池１の回転をガイドする。また、第２ガイド部１７０は、第１ガイド部１６０と共に回転された第１角状電池１が動かないように第１角状電池１を固定する。
【００４６】
次に、上述した電池収納部１００に第２厚さＴ２を有する第２角状電池３が収納される場合について説明する。
【００４７】
図８は、図２の一つの収納部に第２角状電池が収納された状態を示す拡大平面図である。図８を参照すると、第２厚さＴ２を有する第２角状電池３は、電極端子４が突出された上面と、ラウンド部３ａと平坦部３ｂで形成された側面と、上面の反対面である下面と、を含む。ここで、前記第２角状電池３の第２厚さＴ２は、第１角状電池１の第１厚さＴ１より厚く、例えば、７ｍｍであってもよい。このような第２角状電池３は、回転なしに第１空間Ｓ１に収納される。このことから、厚さが相異なる角状電池が相異なる回転率を有して第１空間Ｓ１に収納されることができるということが分かる。一方、第１突出部１３０ｅ及び第２突出部１４０ｅそれぞれと第２角状電池３の接続関係は、第１突出部１３０ｅ及び第２突出部１４０ｅそれぞれと第１角状電池１の接続関係と同じであるため、具体的な説明は省略する。
【００４８】
次に、第１角状電池１及び第２角状電池３それぞれと第１ガイド部１６０との関係について説明する。
【００４９】
図９は、図３の第１角状電池及び図８の第２角状電池それぞれと第１ガイド部との関係を説明するための断面図である。
【００５０】
図９を参照すると、第１厚さＴ１を有する第１角状電池１は、第１ガイド部１６０の第１ガイド斜面１６０ａを介して第１ガイド斜面１６０ａの下部まで回転移動し、第１底面１５０ａから第１高さＨ１の位置に位置する。一方、第２厚さＴ２を有する第２角状電池３は、第１ガイド部１６０の斜面１６０ａに沿って回転移動せず、第１底面１５０ａから第２高さＨ２の位置に位置する。これから、角状電池の厚さが小さいほど、第１ガイド部１６０の斜面１６０ａを介した角状電池の回転移動が大きいということが分かる。
【００５１】
一方、示されていないが、第１角状電池１及び第２電池３それぞれと第２ガイド部１７０との関係は、第１角状電池１及び第２角状電池３それぞれと第１ガイド部１６０との関係と同じである。
【００５２】
次に、図２の一つの電池収納部１００に円筒状電池５が収納されることを説明するための断面図について説明する。
【００５３】
図１０は、図２の一つの電池収納部に円筒状電池が収納された状態で、図３のＤ−Ｄ’線に沿って切り取った電池収納部の断面図である。
【００５４】
図１０を参照すると、上面に電極端子６が突出された円筒状電池５が第２空間Ｓ２に収納される。前記第２空間Ｓ２は、図３の第１ラウンド部１３０ｃ、１３０ｄ、第２ラウンド部１４０ｃ、１４０ｄ及び第２底面１５０ｂによって形成される。
【００５５】
上述したように、本発明の一実施例による電池収納トレイ１０は、第１ガイド部１６０及び第２ガイド部１７０を含む第１空間Ｓ１と、第２空間Ｓ２を提供する電池収納部１００を具備することで、一つの電池収納部１００に多機種電池の収納、即ち、相異なる厚さを有する角状電池だけでなく、円筒状電池の収納も可能にすることができる。
【００５６】
従って、本発明の一実施例による電池収納トレイ１０は、機種別に必要な電池収納トレイに対する製造コストを減らすことができ、また、機種別電池収納トレイの保管のために要求される保管空間を減らすことができる。
【００５７】
次に、本発明の他の実施の形態による電池収納トレイについて説明する。図１１は、本発明の他の実施の形態による電池収納トレイのうち図６の部分と対応する部分を示す断面図であり、図１２は、図１１の電池収納部のうち第１ガイド部部分を示す斜視図である。
【００５８】
本発明の他の実施の形態による電池収納トレイは、本発明の一実施例による電池収納トレイ１０に比べ、電池収納部３００の第１ガイド部３６０の構成のみが相異であり、同じ構成を有し、同じ役割を果たす。従って、本発明の他の実施の形態による電池収納トレイでは、電池収納部３００の第１ガイド部３６０について重点的に説明する。
【００５９】
図１１及び図１２を参照すると、前記電池収納部３００の第１ガイド部３６０は、第１平坦部１３０ａの下部と第１側面１１０の下部に接触するよう、第１底面１５０ａの上に突出された形で形成される。前記電池収納部３００の第１ガイド部３６０は、図６に示した電池収納部１００の第１ガイド部１６０と類似している。但し、前記電池収納部３００の第１ガイド部３６０は二つの斜面を有する。具体的には、前記第１ガイド部３６０は、第１ガイド斜面（又は第１面）３６０ａと、第２ガイド斜面（又は第２面）３６０ｂと、第１ガイド側面３６０ｃと、を含む。
【００６０】
前記第１ガイド斜面３６０ａは、第１底面１５０ａから離隔された第１平坦部１３０ａの下部で中心軸ＣＡ方向と第１底面１５０ａ方向に傾いた面である。ここで、前記第１ガイド斜面１６０ａは第１平坦部１３０ａに接触するが、第１底面１５０ａには接触しない。そして、前記第１ガイド斜面１６０ａは、第１角状電池１の幅方向ＷＤで第１角状電池１から遠くなるほど広くなる。
【００６１】
前記第２ガイド斜面３６０ｂは、第１ガイド斜面３６０ａと第１底面１５０ａを連結する斜めの面である。前記第２ガイド斜面３６０ｂは、第１角状電池１の幅方向ＷＤで第１角状電池１から遠くなるほど広くなる。ここで、前記第２ガイド斜面３６０ｂは、前記第１ガイド斜面３６０ａより急な傾斜を有する。
【００６２】
前記第１ガイド側面３６０ｃは、第１ガイド斜面３６０ａと、第２ガイド斜面３６０ｂと、第１平坦部１３０ａと、第１底面１５０ａに連結される。
【００６３】
前記第１ガイド部３６０は、第１角状電池１が第１空間Ｓ１に回転しながら挿入されるとき、第１ガイド斜面３６０ａと第２ガイド斜面３６０ｂを介して第１角状電池１の回転を更に安定的で柔軟にガイドする。また、第１ガイド部３６０は、回転された第１角状電池１が動かないよう、第１ガイド斜面３６０ａ又は第２ガイド斜面３６０ｂを介して第１角状電池１を更に固く固定する。ここで、前記第２ガイド斜面３６０ｂは、厚さが小さい角状電池を固定するのに有利である。
【００６４】
一方、第２ガイド部（図示せず）は、中心軸ＣＡを中心に対角方向に第１ガイド部３６０と対称する形状を有するので、図面の図示及び具体的な説明は省略する。このような第２ガイド部は、第１角状電池１が第１空間Ｓ１に回転しながら挿入されるとき、第１ガイド部３６０と共に第１角状電池１の回転を安定的で柔軟にガイドし、回転された第１角状電池１が動かないよう、第１角状電池１を更に固く固定する。
【００６５】
上述したように、本発明の他の実施の形態による電池収納トレイは、電池収納部３００の第１空間Ｓ１に二つの斜面を含む第１ガイド部３６０と第２ガイド部を形成し、一つの電池収納部３００に相異なる厚さを有する角状電池の収納を更に安定的で柔軟に行うことができる。
【００６６】
次に、本発明の更に他の実施の形態による電池収納トレイについて説明する。図１３は、本発明の更に他の実施の形態による電池収納トレイのうち、図３の部分と対応される部分を示す平面図である。
【００６７】
本発明の更に他の実施の形態による電池収納トレイは、本発明の一実施例による電池収納トレイ１０に比べ、電池収納部４００が第４空間Ｓ１４を更に含むという構成のみが相異であり、同じ構成を有し、同じ役割を果たす。従って、本発明の更に他の実施の形態による電池収納トレイでは、電池収納部４００の第４空間Ｓ１４について重点的に説明する。
【００６８】
図１３を参照すると、前記電池収納部４００は電池が実質的に収納される空間Ｓ２０を提供し、具体的には、角状電池が収納される大略四角形の第１空間Ｓ１と、円筒状電池が収納される大略円形の第２空間Ｓ２と、角状電池又は円筒状電池をホールディングするホールディング装置が引き入れられるための第３空間Ｓ３と、更に他の角状電池が収納される大略四角形の第４空間Ｓ１４と、を含んでもよい。ここで、前記電池収納部４００は角状電池又は円筒状電池の容易な収納のため、空間Ｓ２０の上部に形成されたテイパー面１００ａを含んでもよい。
【００６９】
前記電池収納部４００は、空間Ｓ２０の形成のため、第１側面１１０と、第２側面１２０と、第３側面１３０と、第４側面１４０と、第５側面（又は第５側部）４１０と、第６側面（又は第６側部）４２０と、第７側面（又は第７側部）４３０と、第８側面（又は第８側部）４４０と、底面４５０と、を含む。ここで、前記第７側面４３０は第３突出部４３０ｅを含み、第８側面４４０は第４突出部４４０ｅを含み、底面４５０は第１底面１５０ａと、第２底面１５０ｂと、第３底面４５０ｃと、を含む。
【００７０】
前記電池収納部４００の第４空間Ｓ１４は第１空間Ｓ１と交差し、大略「Ｘ」字型を成す。このような第４空間Ｓ１４は、第５側面４１０、第６側面４２０、第７側面４３０、第８側面４４０、第３底面４５０ｃによって形成される。前記第５側面４１０、第６側面４２０、第７側面４３０、第８側面４４０及び第３底面４５０ｃは、第１空間Ｓ１を成す第１側面１１０、第２側面１２０、第３側面１３０、第４側面４１０及び第１底面１５０ａに比べ形成位置のみが異なっており、同じ形状を有し、同じ役割を果たすため、具体的な説明は省略する。
【００７１】
また、前記電池収納部４００は、空間Ｓ２０に収納される多機種の電池（例えば、厚さが相異なる角状電池）をガイドして配置するよう、第１ガイド部１６０と、第２ガイド部１７０と、第３ガイド部４６０と、第４ガイド部４７０と、を含む。
【００７２】
前記第３ガイド部４６０及び第４ガイド部４７０は第３底面４５０ｃに形成される。このような第３ガイド部４６０及び第４ガイド部４７０は、第１底面１５０ａに形成される第１ガイド部１６０及び第２ガイド部１７０に比べ形成位置のみが異なっており、同じ形状を有し、同じ役割を果たすため、具体的な説明は省略する。
【００７３】
一方、前記第３側面１３０と第８側面４４０は、第１ラウンド部４８０ａ、４８０ｂによって連結される。そして、前記第４側面１４０と第７側面４３０は第２ラウンド部４９０ａ、４９０ｂによって連結される。ここで、電池収納部４００の上部のうち、第１ラウンド部４８０ｂと第２ラウンド部４９０ｂに対応する領域にはテイパー面１００ａが形成されなくてもよい。
【００７４】
本発明による実施の形態によると、前記第１側面１１０、第２側面１２０、第３側面１３０、第４側面１４０は第１長さを有する角状電池を受容できる大きさで形成され、第５側面４１０、第６側面４２０、第７側面４３０、第８側面４４０は第２長さを有する角状電池を受容できる大きさで形成される。
【００７５】
上述したように、本発明の更に他の実施の形態による電池収納トレイは、電池収納部４００に角状電池の収納のために第１空間Ｓ１だけでなく第４空間Ｓ１４を形成し、一つの電池収納部４００に更に多様に多機種の角状電池を収納することができる。
【００７６】
本発明は、添付した図面に示した実施の形態を参考にして説明されたが、これは例示的なものに過ぎず、該当技術分野における通常の知識を有する者であれば、これから多様な変形及び均等な他の実施の形態が可能であるということを理解できるはずである。従って、本発明の真の保護範囲は、添付した特許請求の範囲によってのみ決められるべきである。
【符号の説明】
【００７７】
１０：電池収納トレイ
１００、３００、４００：電池収納部
１１０：第１側面
１２０：第２側面
１３０：第３側面
１４０：第４側面
１５０：底面
１６０、３６０：第１ガイド部
１７０：第２ガイド部
２００：貫通ホール
【図１】
2011258554.tif 000003
【図２】
2011258554.tif 000004
【図３】
2011258554.tif 000005
【図４】
2011258554.tif 000006
【図５】
2011258554.tif 000007
【図６】
2011258554.tif 000008
【図７】
2011258554.tif 000009
【図８】
2011258554.tif 000010
【図９】
2011258554.tif 000011
【図１０】
2011258554.tif 000012
【図１１】
2011258554.tif 000013
【図１２】
2011258554.tif 000014
【図１３】
2011258554.tif 000015